(57)【要約】【課題】  ネック開口部の寸法又は形状が不揃いな容器に挿入させることができるオリフィスレデューサを提供する。【解決手段】  本発明は、不揃いな表面仕上げ部を備えた押出ブロー成形ボトルに用いるのに適した、クランプル領域、即ち、つぶれてしわ寄せされる領域を備えているオリフィスレデューサに関する。オリフィスレデューサ(10)は、上下方向に延びる複数の薄肉領域(36)を備えた周壁(34)を有する。薄肉領域(36)は、周壁(34)に沿って対称的に間隔が置かれる。薄肉領域(36)は、ボトルの表面仕上げ部の不揃いを見込んで、オリフィスレデューサ(10)をボトルのネック(16)内に挿入するときに変形する。その結果、オリフィスレデューサを標準の押出ブロー成形ボトル内に容易に挿入することができる。【選択図】      図３ａ
2004269054.tif 000002
【特許請求の範囲】
【請求項１】
厚さを有し、この厚さを貫く孔及び縁を備えた頂壁と、
厚さを有し、実質的に連続であり、前記頂壁から延びる周壁と、
前記周壁に設けられ、上下方向に延びる１又は２以上の薄肉領域と、を有することを特徴とするオリフィスレデューサ。
【請求項２】
前記周壁は、内面を有し、前記薄肉領域は、前記周壁の内面に設けられる、請求項１に記載のオリフィスレデューサ。
【請求項３】
更に、前記頂壁から延びる外壁を有する、請求項２に記載のオリフィスレデューサ。
【請求項４】
前記周壁及び前記外壁は各々、周囲を有し、前記頂壁の縁、前記周壁の周囲及び前記外壁の周囲は、実質的に円形である、請求項３に記載のオリフィスレデューサ。
【請求項５】
前記外壁は、底端部を有し、前記オリフィスレデューサは、更に、前記外壁の底端部からそれと実質的に垂直に突き出て前記周壁の方向に延びるリップ部を有する、請求項４に記載のオリフィスレデューサ。
【請求項６】
前記リップ部は、前記外壁の底端部に沿って実質的に連続している、請求項５に記載のオリフィスレデューサ。
【請求項７】
前記頂壁は、頂面を有し、前記オリフィスレデューサは、更に、前記頂壁の頂面から突き出た孔リムを有し、この孔リムは、縁を有し、前記孔を包囲している、請求項６に記載のオリフィスレデューサ。
【請求項８】
前記孔リムは、実質的に円形であり、前記孔リムの縁は、前記頂壁の縁まで延びていない、請求項７に記載のオリフィスレデューサ。
【請求項９】
前記周壁は、複数の薄肉領域を有している、請求項８に記載のオリフィスレデューサ。
【請求項１０】
前記複数の薄肉領域は、半径方向に対称に間隔を置いて設けられている、請求項９に記載のオリフィスレデューサ。
【請求項１１】
前記薄肉領域は、切欠きによって構成されている、請求項１０に記載のオリフィスレデューサ。
【請求項１２】
前記切欠きは、実質的に矩形である、請求項１１に記載のオリフィスレデューサ。
【請求項１３】
前記切欠きは、実質的に半円形である、請求項１１に記載のオリフィスレデューサ。
【請求項１４】
前記周壁は、高さ及び底端部を有し、前記切欠きは、前記周壁の高さの少なくとも約１／２にわたって延び、前記切欠きは各々、前記周壁の底端部まで延びている、請求項１１に記載のオリフィスレデューサ。
【請求項１５】
前記切欠きは各々、前記周壁の厚さの約１／２にわたって入り込んでいる、請求項１４記載のオリフィスレデューサ。
【請求項１６】
第１の端部、第２の端部、内面及び厚さを備えた周壁と、
前記周壁の第１の端部及び第２の端部のうち一方を閉鎖し、孔を有する端壁と、
前記周壁に設けられ、軸線方向に延びる１又は２以上の薄肉領域と、を有していることを特徴とするオリフィスレデューサ。
【請求項１７】
前記薄肉領域は、前記周壁の内面に設けられている、請求項１６に記載のオリフィスレデューサ。
【請求項１８】
前記端壁は、底面を備えた頂壁であり、前記周壁の第１の端部は、前記底面から延びている、請求項１７に記載のオリフィスレデューサ。
【請求項１９】
更に、前記頂壁の底面から延びる外壁を有する、請求項１８に記載のオリフィスレデューサ。
【請求項２０】
前記外壁は、内面を有し、前記オリフィスレデューサは、更に、前記外壁の内面から突き出たリップ部を有する、請求項１９に記載のオリフィスレデューサ。
【請求項２１】
前記頂壁は、頂面を含み、前記オリフィスレデューサは、更に、前記頂壁の頂面から延びる孔リムを有する、請求項２０に記載のオリフィスレデューサ。
【請求項２２】
前記頂壁及び前記孔リムは各々、縁を有し、これらの縁は、実質的に円形である、請求項２１に記載のオリフィスレデューサ。
【請求項２３】
前記周壁は、複数の薄肉領域を有する、請求項２２に記載のオリフィスレデューサ。
【請求項２４】
前記複数の薄肉領域は、半径方向に対称に間隔を置いて設けられている、請求項２３に記載のオリフィスレデューサ。
【請求項２５】
前記薄肉領域は各々、切欠きによって構成されている、請求項２４に記載のオリフィスレデューサ。
【請求項２６】
前記切欠きは各々、実質的に矩形である、請求項２４に記載のオリフィスレデューサ。
【請求項２７】
前記切欠きは各々、実質的に半円形である、請求項２４に記載のオリフィスレデューサ。
【請求項２８】
前記周壁は、高さを有し、前記切欠きは各々、前記周壁の高さの少なくとも約１／２にわたって延び、前記切欠きは各々、前記周壁の第２の端部まで延びている、請求項２４に記載のオリフィスレデューサ。
【請求項２９】
オリフィスレデューサの製造方法であって、
周壁を形成する工程と、
軸線方向に延びる少なくとも１つの薄肉領域を前記周壁に形成する工程と、
前記周壁に取り付けられる頂壁を形成する工程と、
前記頂壁に孔を形成する工程と、を有していることを特徴とする製造方法。
【請求項３０】
更に、前記頂壁に取り付けられる外壁を形成する工程を有する、請求項２９に記載の製造方法。
【請求項３１】
更に、前記外壁に取り付けられるリップ部を形成する工程を有する、請求項３０に記載の製造方法。
【請求項３２】
更に、頂壁に設けられる孔リムを形成する工程を有する、請求項３１に記載の方法。
【請求項３３】
容器の製造方法であって、
ネック開口部を備えたネックを含むボトルを形成する工程と、
上下方向に延びる少なくとも１つの薄肉領域を備えた周壁を有するオリフィスレデューサを形成する工程と、
前記オリフィスレデューサを前記ボトルのネックの一番上に配置する工程と、
前記オリフィスレデューサの周壁が前記ネック開口部に挿入されるまで、前記オリフィスレデューサに圧力を加える工程と、を有していることを特徴とする製造方法。
【請求項３４】
更に、前記オリフィスレデューサに頂壁を形成する工程と、
前記頂壁が前記ネックの上に載るまで、前記オリフィスレデューサに圧力を加える工程と、を有する請求項３３に記載の方法。
【請求項３５】
更に、前記オリフィスレデューサに外壁を形成する工程と、
前記外壁が前記ボトルのネックの上方部分を包囲するまで、前記オリフィスレデューサに圧力を加える工程と、を有する請求項３４に記載の方法。
【請求項３６】
更に、前記外壁にリップ部を形成する工程と、
前記ボトルに隆起部を形成する工程と、
前記リップ部が前記隆起部の周りにスナップ係合するまで、前記オリフィスレデューサに圧力を加える工程と、を有する請求項３５に記載の方法。
【請求項３７】
前記周壁を形成する工程は、軸線方向に延びる複数の薄肉領域を前記周壁に形成する工程を含む、請求項３６に記載の方法。
【請求項３８】
前記軸線方向に延びる薄肉領域は、前記周壁の周りに対称的に間隔を置いて設けられる、請求項３７に記載の方法。
【請求項３９】
前記薄肉領域の厚さは、前記周壁の厚さの約１／２である、請求項３８に記載の方法。
【請求項４０】
前記軸線方向に延びる薄肉領域は各々、前記周壁の底部まで延びる、請求項３９に記載の方法。
【発明の詳細な説明】
【技術分野】
【０００１】
本発明は、容器に係わり、更に詳細には、容器ネック用のオリフィスレデューサに関する。
【背景技術】
【０００２】
概略的には、全体的に見た場合の典型的な容器のネックは、容器の外径に対してかなり大きい。比較的大きなオリフィスは、包装工程の際、容器の充填をしやすくする。加えて、プラスチック容器を形成する幾つかの方法、例えば、射出ブロー成形法や押出ブロー成形法を実施すると、その本来的な結果として、比較的大きな直径を有するネックが生じる。
多くの適用例では、最終消費者に適用されるネック開口部よりも小さな容器開口部を設けることが望ましい。小さなネック開口部は、典型的には、製品の小出しを制御しやすくし、それにより生じる製品の無駄を少なくする。縮径したオリフィスが望ましい場合の例は、容器が、比較的少量で用いられ且つ高価な製品を収容している場合や、容器の中身を制御された仕方で注意深く小出ししなければならない場合である。
【０００３】
この目的を達成するため、当業界では、オリフィスレデューサが開発された。従来型オリフィスレデューサは、一般的には、容器のネックに挿入されるプラスチック製の栓を含み、この栓は、中央孔を有している。中央孔は、典型的には、容器のネックよりもかなり小さい。これにより、開口部の有効寸法が減少すると共に、容器からの製品の小出し量が減少し、かくして、消費者に高い制御性が与えられ、無駄になる製品の量が減少する。
概略的には、従来型オリフィスレデューサは、周壁の上に位置した頂壁を有する。周壁は、ボトルのネックの中にしっかりと嵌め込まれるように寸法決めされている。頂壁は、比較的大きなネック開口部を閉鎖し、且つ、それ自体、ボトルからの所望の流量を供給するように寸法決めされた小さい開口部を有している。或る適用例では、頂壁は、ボトルネックの頂縁部を覆うように、周壁よりも大きな直径を有している。これは、見栄えを良くし、さらに、オリフィスレデューサが容器ネック内にずっと深く挿入されるのを阻止するのに役立つ。
【発明の開示】
【発明が解決しようとする課題】
【０００４】
しかしながら、従来型オリフィスレデューサは、ネック開口部の寸法又は形状が不揃いな容器に挿入することが比較的困難な場合がある。寸法又は形状が不揃いなネック開口部に従来型オリフィスレデューサを挿入する場合、周壁が開口部の中にぴったりと嵌まらない。その代わりに、オリフィスレデューサを、容器ネックの寸法及び形状に合うように変形させなければならない。オリフィスレデューサを変形させるのに必要な力が相当大きい場合がある。これが大きいと、適用例によっては、従来型包装機による挿入を行うことができない。その結果、高価な受注生産機械が従来型オリフィスレデューサに必要になる場合がある。さらに、周壁の変形により、ゆがみ又はその他のひどい変形が生じる場合があり、それにより、オリフィスレデューサが容器ネックの内面に密着しにくくなる場合がある。
【課題を解決するための手段】
【０００５】
上述の問題は、本発明によって解決された。本発明によるオリフィスレデューサは、上下方向に延びる薄肉領域を備えた周壁を有する。薄肉領域は、オリフィスレデューサを容器ネック内に挿入するときに制御された仕方でつぶれることを可能にする「クランプル（ｃｒｕｍｐｌｅ）即ちしわ寄せ」領域となる。具体的に説明すると、薄肉領域により、周壁のフープ強さを減少させ且つ制御された変形を容易にする可撓性を増大させた領域を備えた壁を提供する。これにより、オリフィスレデューサを、直径が小さい又は形状が不規則な開口部内に一層容易に挿入させることができる。
【０００６】
好ましい実施形態では、オリフィスレデューサは、円形の頂壁及び下方に延びる周壁を有する。周壁は、好ましくは、オリフィスレデューサが摩擦の作用で容器ネック内に嵌まり込むように、容器ネック内径よりも僅かに大きな外径を有している。周壁は、好ましくは、周壁に沿って半径方向に対称に間隔を置いて設けられた複数の上下方向に延びる切欠きを備える。切欠きは、好ましくは、オリフィスレデューサの外面（即ち、容器ネックに係合する表面）が比較的一様になるように、内方に開いている。
【０００７】
本発明は又、オリフィスレデューサの製造方法を提供し、この方法は、（ａ）オリフィスを備えた頂壁を形成する工程と、（ｂ）頂壁から延びる周壁を形成する工程と、（ｃ）上下方向に延びる薄肉領域を周壁に構成する工程とを有する。好ましい実施形態では、これらの工程の全てを、射出成形により本質的に同時に実施する。
【発明の効果】
【０００８】
本発明は、従来技術のオリフィスレデューサと比較して顕著な利点をもたらす簡単且つ有効なオリフィスレデューサを提供する。クランプル領域は、周壁のフープ強さを減少させ、それにより、オリフィスレデューサを寸法及び形状が不揃いな開口部内に一層容易に挿入させることができる。本発明のオリフィスレデューサは、その挿入に要する力を減少させるので、従来型工場設備を用いて、寸法及び形状が不揃いな容器ネック内にオリフィスレデューサを挿入させることができる。その結果、本発明は、既存の工場設備の設計変更又は交換を不要にし、それにより、かかるボトルの組立と関連した費用を著しく減少させる。さらに、本発明は、オリフィスレデューサの制御された変形を可能にすることにより、オリフィスレデューサと容器ネックとの間の漏れを生じさせる場合のあるひどい変形の恐れを減少させる。
本発明の上記目的、利点及び特徴並びに他の目的利点及び特徴は、好ましい実施形態の詳細な説明及び図面の記載を参照すると容易に理解されよう。
【発明を実施するための最良の形態】
【０００９】
本発明の好ましい実施形態に従って製造されたオリフィスレデューサ１０を有するボトル１２が、図１に示されている。ボトル１２は、頂端部１４を有すると共にネック１６を含んでいる。ネック１６は、実質的に円形の開口部を備えている。オリフィスレデューサ１０は、ボトルネック１６に嵌められており、ボトルの中身を小出しさせる比較的小さな孔２４を備えている。オリフィスレデューサ１０は、ボトルネック１６の内側に嵌め込まれた周壁３４を有している。図２〜図５に示す周壁３４は、オリフィスレデューサの挿入を容易にする薄肉領域（即ち「クランプル領域」）を有している。開示の目的上、オリフィスレデューサ１０の好ましい実施形態を、従来型押出ブロー成形プラスチックボトルと関連させて説明する。しかしながら、オリフィスレデューサは、或るオリフィス縮径形態を必要とするネックを備えた本質的に任意の従来型容器と関連して使用できる。
【００１０】
次に、図２〜図５を参照してオリフィスレデューサ１０を詳細に説明する。一般に、オリフィスレデューサ１０は、頂壁２０、孔リム２２、周壁３４及び外壁１８を有している。頂壁２０は、好ましくは、実質的に円形のパネルである。孔２４が、頂壁２０のほぼ中央に形成されており、この孔を通して、製品をボトル１２から小出しすることができる。好ましい実施形態では、孔２４は実質的に円形であるが、変形例では、本質的に任意の形状であってもよい。孔リム２２は、好ましくは、頂壁２０から上方に突き出ていて、孔２４を包囲している。孔リム２２は、容器蓋、例えば、ねじ込みキャップと共に、改良された状態の密封インタフェース関係を構成している。孔２４は、孔リム２２と頂壁２０の両方を貫いている。孔リム２２の縁２６は、好ましくは、頂壁２０の縁２８まで延びていない。
【００１１】
外壁１８は、ボトルネック１６の上方部分を覆うように、頂壁２０の周縁部２８から下方に延びる実質的に連続した壁である。好ましい実施形態では、外壁１８は、実質的に一周している。外壁１８の直径は、好ましくは、オリフィスレデューサ１０をボトル１２のネック１６内に挿入すると共に、外壁１８がネック１６の外面を包囲するようなものである。外壁１８の内径は、ボトルネック１６周りに密に嵌まるように選択されたものであっても良いし、或いは、ボトルネック１６が外壁１８と周壁３４との間に圧縮状態で受け入れられるよう減少させたものであっても良い。
図３ａでよりはっきりと理解できるように、外壁１８は、リップ部３８を有しているが、このようにするかどうかは任意である。リップ部１８は、外壁１８の底端部から内方に且つそれと垂直に（即ち、中心に向かって）延びた状態で外壁１８の底端部から突き出ている。リップ部３８は、外壁１８の実質的に周囲全体に沿って連続していることが好ましいが、所望ならば、不連続であってもよい。リップ部３８は、ボトル１２のネック１６の隆起部３９の周りにスナップ係合するよう設計されている。リップ部３８の正確な寸法及び形状は、ボトル１２の寸法、形状、及びオリフィスレデューサを挿入したり取り外したりするのに望ましい力の大きさに応じて様々である。リップ部３８の断面が実質的に半円形のものとして示されているが、変形例として、他の形状の断面をしていてもよい。例えば、リップ部は、変形例では、傾斜底面及び平らな頂面を備えた「ラチェット形状」のものであってもよい。傾斜底面は挿入を容易にし、平らな頂面は取り外しに抵抗する。
【００１２】
本発明の変形実施形態を図３ｂに示す。図３ｂでは、リップ部１８を含む外壁２０がオリフィスレデューサ１０′に設けられていない。オリフィスレデューサ１０′の頂壁２０′は、ボトル１２′の側壁１６′に対して実質的に面一をなし又は僅かに凹んだ状態で終端している。
好ましい実施形態では、周壁３４は、内面４０及び外面４２を有している。好ましくは周壁３４の内面４０に複数の切欠き４６が設けられている。切欠き３６は、周壁の薄肉領域であり、好ましい実施形態では、上下方向に延び且つ実質的に矩形である周壁３４の薄肉領域である。各切欠き３６は、周壁３４の高さの少なくとも１／２にわたって延びており、切欠き３６は、周壁３４の底端部３２で始まっていることが典型的であるが、そうでなくても良い。切欠き３６を形成するために、薄肉領域を備えた周壁３４を任意の従来法で形成することができるが、好ましい実施形態では、オリフィスレデューサ１０を射出成形し、射出成形工程中、切欠きを周壁３４に一体形成する。別の好ましい実施形態では、各切欠き３６は、周壁３４の厚さの約１／２にわたって入り込んでいる。切欠き３６は、周壁３４の内面４０の周囲に沿って、好ましくは等間隔に設けられている。任意の数の切欠き３６を利用できるが、好ましい実施形態では、８つの互いに等間隔に置かれた切欠き３６が設けられる。図５に示す変形実施形態では、各切欠き３６は、実質的に半円形である。薄肉領域の正確な寸法、形状及び配設場所は、主としてボトルに予想される不揃いの度合い及び周壁に望まれる可撓性の大きさに応じて適用例毎に様々である。
【００１３】
本発明のオリフィスレデューサ１０は好ましくは、プラスチック成形法により一体部品として製造される。用いられる金型は、好ましくは、頂壁２０、孔２４、孔リム２２、周壁３４、切欠き３６、外壁１８及びリップ部３８を含むオリフィスレデューサ１０の全ての特徴を有している。より好ましい実施形態では、オリフィスレデューサ１０を、射出成形する。任意的に切欠き３６の無いオリフィスレデューサ１０を成形し、例えば、やすり又はこれに類似した機械加工装置を用いて、切欠き３６を周壁３４に別途形成しても良い。オリフィスレデューサは、好ましくは、低密度ポリエチレン（ＬＤＰＥ）又はその他のこれに類似した材料で射出成形される。
【００１４】
使用の際、ボトル１２を所望の内容物で満たした後、オリフィスレデューサ１０をボトルネック内に挿入する。挿入のために、周壁３４の底端部３２がネック１６と接触するように、オリフィスレデューサ１０をボトル１２のネック１６の上に配置する。所望ならば、周壁３４の外側底面に幾分テーパを設けて、ネック開口部内へのオリフィスレデューサの最初の挿入を容易にするのがよい。周壁３４がネック１６内に挿入されるまで、下向きの圧力をオリフィスレデューサ１０の頂壁２０に加える。周壁３４をネック１６内に挿入しているとき、オリフィスレデューサ１０の薄肉領域３６は、ネック１６の寸法、形状又は表面仕上げの不揃いに順応するように変形する。頂壁２０がネック１６の頂端部１４の上に載るまで、圧力をオリフィスレデューサ１０に加える。この位置では、リップ部３８（もし設けられていれば）は、ネック１６の隆起部３９の周りにスナップ係合される。次に、従来型の蓋（図示せず）、例えば、ねじ込み式キャップ又はスナップ係合式キャップをボトル１２に追加するのがよい。内容物を小出しするとき、キャップ（図示せず）を取り外し、ボトル１２を傾け又は逆さまにして、オリフィスレデューサ１０の孔２４から内容物を小出しする。
上記説明は、本発明の好ましい実施形態についてのものである。特許請求の範囲に記載された本発明の精神及び広義の特徴から逸脱することなく種々の変形例及び変更例を想到できるが、これらは均等論を含む特許法の原理に従って解釈されるべきである。特許請求の範囲に記載されている本発明の構成要素は、１つに限定されるものと解されてはならない。
【図面の簡単な説明】
【００１５】
【図１】本発明の好ましい実施形態にしたがって製造されたオリフィスレデューサを利用するボトルの斜視図である。
【図２】オリフィスレデューサの底面図である。
【図３ａ】ボトル及びオリフィスレデューサの線３−３における断面図である。
【図３ｂ】図３ａと類似した別のボトル及びオリフィスレデューサの部分断面図である。
【図４】オリフィスレデューサの下方からの斜視図である。
【図５】オリフィスレデューサの変形実施形態の底面図である。
【符号の説明】
【００１６】
１０  オリフィスレデューサ
１２  ボトル
１６  ネック
１８  外壁
２０  頂壁
２２  孔リム
２４  孔
２６  孔リムの縁
２８  頂壁の縁
３２  底端部
３４  周壁
３６  切欠き
３８  リップ部
３９  隆起部
４０  内面
【図１】
2004269054.tif 000003
【図２】
2004269054.tif 000004
【図３ａ】
2004269054.tif 000005
【図３ｂ】
2004269054.tif 000006
【図４】
2004269054.tif 000007
【図５】
2004269054.tif 000008
【手続補正書】
【提出日】平成16年5月18日(2004.5.18)
【手続補正１】
【補正対象書類名】特許請求の範囲
【補正対象項目名】全文
【補正方法】変更
【補正の内容】
【特許請求の範囲】
【請求項１】
厚さを有し、この厚さを貫く孔及び縁を備えた頂壁と、
厚さを有し、実質的に連続であり、前記頂壁から延びる周壁と、
前記周壁に設けられ、上下方向に延びる１又は２以上の薄肉領域と、を有することを特徴とするオリフィスレデューサ。
【請求項２】
前記周壁は内面を有し、前記薄肉領域は、前記周壁の内面に設けられる、請求項１に記載のオリフィスレデューサ。
【請求項３】
更に、前記頂壁から延びる外壁を有し、前記外壁は、底端部及びこの底端部からそれと実質的に垂直に突き出て前記周壁の方向に延びるリップ部を有する、請求項２に記載のオリフィスレデューサ。
【請求項４】
前記頂壁は、頂面を有し、前記オリフィスレデューサは、更に、前記頂壁の頂面から突き出た孔リムを有し、この孔リムは、縁を有し、孔を包囲している、請求項３に記載のオリフィスレデューサ。
【請求項５】
前記周壁は、複数の薄肉領域を有している、請求項４に記載のオリフィスレデューサ。
【請求項６】
前記複数の薄肉領域は、半径方向に対称に間隔を置いて設けられている、請求項５に記載のオリフィスレデューサ。
【請求項７】
前記薄肉領域は、切欠きによって構成されている、請求項６に記載のオリフィスレデューサ。
【請求項８】
前記切欠きは、実質的に矩形又は実質的に半円形である、請求項７に記載のオリフィスレデューサ。
【請求項９】
前記周壁は、高さ及び底端部を有し、前記切欠きは、前記周壁の高さの少なくとも約１／２にわたって延び、前記切欠きは各々、前記周壁の底端部まで延びている、請求項７に記載のオリフィスレデューサ。
【請求項１０】
前記切欠きは各々、前記周壁の厚さの約１／２にわたって入り込んでいる、請求項９に記載のオリフィスレデューサ。
【請求項１１】
第１の端部、第２の端部、内面及び厚さを備えた周壁と、
前記周壁の第１の端部及び第２の端部のうち一方を閉鎖し、孔を有する端壁と、
前記周壁に設けられ、軸線方向に延びる１又は２以上の薄肉領域と、を有していることを特徴とするオリフィスレデューサ。
【請求項１２】
前記薄肉領域は、前記周壁の内面に設けられている、請求項１１に記載のオリフィスレデューサ。
【請求項１３】
更に、前記頂壁の底面から延びる外壁を有し、前記外壁は、内面及びこの内面から突き出たリップ部を有する、請求項１２に記載のオリフィスレデューサ。
【請求項１４】
前記頂壁は、頂面を含み、前記オリフィスレデューサは、更に、前記頂壁の頂面から延びる孔リムを有する、請求項１３に記載のオリフィスレデューサ。
【請求項１５】
前記周壁は、複数の薄肉領域を有し、前記複数の薄肉領域は、半径方向に対称に間隔を置いて設けられている、請求項１４に記載のオリフィスレデューサ。
【請求項１６】
前記薄肉領域は各々、切欠きによって構成されている、請求項１５に記載のオリフィスレデューサ。
【請求項１７】
前記切欠きは各々、実質的に矩形又は実質的に半円形である、請求項１６に記載のオリフィスレデューサ。
【請求項１８】
前記周壁は、高さを有し、前記切欠きは各々、前記周壁の高さの少なくとも約１／２にわたって延び、前記切欠きは各々、前記周壁の第２の端部まで延びている、請求項１５に記載のオリフィスレデューサ。